【手続補正書】
【提出日】平成19年4月5日(2007.4.5)
【手続補正１】
【補正対象書類名】明細書
【補正対象項目名】全文
【補正方法】変更
【補正の内容】
【書類名】        明細書
【発明の名称】    画像形成装置
【特許請求の範囲】
【請求項１】  像加熱装置の温度制御を行うため前記像加熱装置の温度を検出する加熱温度検知手段と、室温を検出する室温検知手段と、前記像加熱装置を一定の目標温度に制御する温度制御手段と、前記目標温度を設定する目標温度設定手段を有し、前記室温検知手段による室温情報に基づいて、前記目標温度設定手段により前記目標温度を任意の値に設定することを特徴とする画像形成装置。
【請求項２】  前記目標温度制御手段が前記像加熱装置を複数段階の目標温度に制御し、このうち少なくとも一段階の目標温度を前記目標温度設定手段が前記室温情報に基づいて任意の値に設定することを特徴とする請求項１に記載の画像形成装置。
【請求項３】  前記像加熱装置が、立ち上げ期間中は第１の目標温度に制御され、像加熱期間中は第２の目標温度に制御されることを特徴とする請求項２に記載の画像形成装置。
【請求項４】  前記目標温度設定手段が、前記室温情報に基づいて第１の目標温度を任意の値に設定することを特徴とする請求項３に記載の画像形成装置。
【請求項５】  前記目標温度設定手段が、前記室温情報に基づいて第２の目標温度を任意の値に設定することを特徴とする請求項３又は４に記載の画像形成装置。
【請求項６】  前記像加熱装置への通電を開始してから記録材を給紙するまでの時間を制御する給紙タイミング制御手段を有し、前記室温検知手段による室温情報に基づいて、前記給紙タイミング制御手段により給紙タイミングを任意の値に設定することを特徴とする請求項１から５のいずれか１項に記載の画像形成装置。
【請求項７】  前記目標温度設定手段が、前記室温情報に基づいて、前記第１の目標温度の継続時間を任意の値に設定することを特徴とする請求項１から６のいずれか１項に記載の画像形成装置。
【請求項８】  像加熱装置の温度制御を行うため前記像加熱装置の温度を検出する定着温度検知手段と室温を検出する室温検知手段と、前記像加熱装置が目的温度に達するまで一定の電力を加える電力制御手段と、前記電力制御手段の電力を任意の値に設定する電力設定手段を有し、前記室温情報に基づいて前記電力設定手段により前記電力制御手段の電力を任意の値に設定することを特徴とする画像形成装置。
【請求項９】  前記像加熱装置が複数段階の目標温度に制御され、このうち少なくとも一段階の目標温度に達するように前記電力設定手段が、前記電力制御手段の電力を前記室温情報に基づいて設定することを特徴とする請求項８に記載の画像形成装置。
【請求項１０】  前記像加熱装置が、立ち上げ期間中は第１の目標温度に制御され、像加熱期間中は第２の目標温度に制御され、該第１の目標温度から第２の目標温度に達するまで前記電力設定手段が、前記電力制御手段の電力を前記室温情報に基づいて設定することを特徴とする請求項９に記載の画像形成装置。
【請求項１１】  前記像加熱装置が、フィルムと、該フィルムと圧接して加熱ニップを形成する加圧部材とを有し、画像が形成された記録材を前記加熱ニップに通して加熱するフィルム加熱方式の装置であることを特徴とする請求項１から１０のいずれか１項に記載の画像形成装置。
【請求項１２】  像形成手段により記録材上に未定着画像を形成し、該画像を前記像加熱装置により加熱して記録材上に熱定着させることを特徴とする請求項１から１０のいずれか１項に記載の画像形成装置。
【発明の詳細な説明】
【０００１】
【発明の属する技術分野】
本発明は像加熱装置を備えた画像形成装置に関するものである。
【０００２】
【従来の技術】
従来、電子写真方式、静電記録方式等を採用する画像形成装置に具備される画像熱定着装置（像加熱装置）においては、トナー像を担持したシート材を、互いに圧接して回転する定着ローラと加圧ローラとで形成される圧接ニップ域を通過させることにより、上記トナー像をシート材上に永久画像として定着させる、いわゆる熱ローラ方式の加熱定着手段が広く用いられている。
【０００３】
また、スタンバイ時に電力を供給せず、消費電力を極力低く抑えた加熱定着手段、詳しくは支持体に取り付けた発熱体（以下、ヒータと称する）と加圧ローラとの間に薄肉のフィルム（以下、定着フィルムと称する）を介在させ、未定着トナー画像の形成されたシート材を該フィルムと密着させた状態でヒータ・加圧ローラ間に通紙し、該シート材上にトナー像を加熱定着させるフィルム加熱方式による加熱定着手段がある。
【０００４】
画像熱定着装置を構成する上記２種類の加熱定着手段は、該加熱定着させる温度を制御する為、定着温度検知手段を１つ以上有している。該定着温度検知手段は一般的にサーミスタを用いることが多く、該ヒータや該加圧ローラに接して具備することで該ヒータや該加圧ローラの温度を検出する。最近では該ヒータや該加圧ローラの輻射熱を計測することで該加熱定着させる温度を検出する手法も検討されている。
【０００５】
図７は、さらに具体的な上記フィルム加熱方式による加熱定着手段の代表的な１例を示す概略構成図（断面図）である。図７において、画像熱定着装置５１０は、ヒータ５１１、支持体としてのガイド部材５１２、定着フィルム５１３、これらに対して圧接し、ニップ部（加熱ニップ部）Ｎを形成する加圧ローラ５１４等から構成されており、該圧接ニップ部Ｎにトナー像Ｔを担持したシート材（記録材）Ｐが通紙され、ヒータ５１１の熱により該トナー像Ｔをシート材Ｐに定着させている。
【０００６】
ヒータ５１１は、定着フィルム５１３の回転移動をガイドするガイド部材５１２に固定されている。このガイド部材５１２は、例えば耐熱性の樹脂部材で形成され、加熱部材としてのヒータ５１１を保持するとともに定着フィルム５１３のガイドも兼ねている。さらに、定着フィルム５１３との回転摺動性を高める為に、定着フィルム５１３と、ヒータ５１１及びガイド部材５１２の外周面との間に耐熱性のグリス等を介在させている。またヒータ５１１の温度を検出する為、定着温度検知手段として一般的にサーミスタ５１５が具備される。代表的なサーミスタ５１５の設置手段としてヒータ５１１に耐熱性の接着材で接着する方法やバネ性部材の圧力を利用して押し付けて設置する方法がある。
【０００７】
該サーミスタ５１５によって検出した温度に基き、温度制御手段がヒータ５１１への供給電力を調整し、該サーミスタ５１５の検出温度が所定の目標温度となるようにフィードバック制御を行っている。これにより、定着ニップ部Ｎが所望の定着温度に保たれるようにしている。
【０００８】
【発明が解決しようとする課題】
しかしながら、温度制御の目標温度を通常の条件下において一意に定めると、該画像形成装置が設置された環境の温度（室温）が低い場合（低温環境下）には、周囲の部材や記録材に奪われる熱量が多くなり、熱容量の大きい厚紙等が通紙された際に定着不良が発生し易くなってくる。また、環境温度（室温）が高い場合（高温環境下）には、周囲の部材や記録材に奪われる熱量が少なくなり、非通紙部昇温が生じた場合の高温オフセットやオーバーシュートが生じた場合のスメア（フィルムと紙の間でスリップして画像が乱れる問題）が発生し易くなってくる。
【０００９】
そこで本発明は、室温情報に基づいて目標温度や供給電力を適切に設定することにより、環境温度に影響されず良好な画像形成を行うことが可能な画像形成装置の提供を目的としている。
【００１０】
【課題を解決するための手段】
本発明の画像形成装置は、上記課題を解決するために下記の構成を特徴とするものである。
【００１１】
〔１〕：像加熱装置の温度制御を行うため前記像加熱装置の温度を検出する加熱温度検知手段と、室温を検出する室温検知手段と、前記像加熱装置を一定の目標温度に制御する温度制御手段と、前記目標温度を設定する目標温度設定手段を有し、前記室温検知手段による室温情報に基づいて、前記目標温度設定手段により前記目標温度を任意の値に設定することを特徴とする画像形成装置。
【００１２】
〔２〕：前記目標温度制御手段が前記像加熱装置を複数段階の目標温度に制御し、このうち少なくとも一段階の目標温度を前記目標温度設定手段が前記室温情報に基づいて任意の値に設定することを特徴とする〔１〕に記載の画像形成装置。
【００１３】
〔３〕：前記像加熱装置が、立ち上げ期間中は第１の目標温度に制御され、像加熱期間中は第２の目標温度に制御されることを特徴とする〔２〕に記載の画像形成装置。
【００１４】
〔４〕：前記目標温度設定手段が、前記室温情報に基づいて第１の目標温度を任意の値に設定することを特徴とする〔３〕に記載の画像形成装置。
【００１５】
〔５〕：前記目標温度設定手段が、前記室温情報に基づいて第２の目標温度を任意の値に設定することを特徴とする〔３〕又は〔４〕に記載の画像形成装置。
【００１６】
〔６〕：前記像加熱装置への通電を開始してから記録材を給紙するまでの時間を制御する給紙タイミング制御手段を有し、前記室温検知手段による室温情報に基づいて、前記給紙タイミング制御手段により給紙タイミングを任意の値に設定することを特徴とする〔１〕から〔５〕のいずれか１項に記載の画像形成装置。
【００１７】
〔７〕：  前記目標温度設定手段が、前記室温情報に基づいて、前記第１の目標温度の継続時間を任意の値に設定することを特徴とする〔１〕から〔６〕のいずれか１項に記載の画像形成装置。
【００１８】
〔８〕：像加熱装置の温度制御を行うため前記像加熱装置の温度を検出する定着温度検知手段と室温を検出する室温検知手段と、前記像加熱装置が目的温度に達するまで一定の電力を加える電力制御手段と、前記電力制御手段の電力を任意の値に設定する電力設定手段を有し、前記室温情報に基づいて前記電力設定手段により前記電力制御手段の電力を任意の値に設定することを特徴とする画像形成装置。
【００１９】
〔９〕：前記像加熱装置が複数段階の目標温度に制御され、このうち少なくとも一段階の目標温度に達するように前記電力設定手段が、前記電力制御手段の電力を前記室温情報に基づいて設定することを特徴とする〔８〕に記載の画像形成装置。
【００２０】
〔１０〕：  前記像加熱装置が、立ち上げ期間中は第１の目標温度に制御され、像加熱期間中は第２の目標温度に制御され、該第１の目標温度から第２の目標温度に達するまで前記電力設定手段が、前記電力制御手段の電力を前記室温情報に基づいて設定することを特徴とする〔９〕に記載の画像形成装置。
【００２１】
〔１１〕：前記像加熱装置が、フィルムと、該フィルムと圧接して加熱ニップを形成する加圧部材とを有し、画像が形成された記録材を前記加熱ニップに通して加熱するフィルム加熱方式の装置であることを特徴とする〔１〕から〔１０〕のいずれか１項に記載の画像形成装置。
【００２２】
〔１２〕：像形成手段により記録材上に未定着画像を形成し、該画像を前記像加熱装置により加熱して記録材上に熱定着させることを特徴とする〔１〕から〔１０〕のいずれか１項に記載の画像形成装置。
【００２３】
【発明の実施の形態】
〈第１の実施形態〉
図１は本発明の第１の実施形態である画像形成装置（プリンタ）を説明する図である。
【００２４】
給紙カセット１に積載されているシート材（記録材）Ｐはカセット給紙ローラ３によって給紙され、搬送ローラ４によりプリンタ内のシート材搬送路５上を搬送されてレジストローラ６により所定のタイミングで像形成手段側に給送され、給紙センサ７により該先端と後端の位置が検出される。
【００２５】
一方、該給紙センサ７によるシート材先端の検知と同期して画像形成を開始し、先ず感光ドラム９上を光走査装置１５により走査露光して潜像を形成し、該潜像を現像手段１６により現像してトナー画像Ｔとする。
【００２６】
そして該感光ドラム９と転写ローラ８との対向部（転写部）ｍに前記シート材Ｐとトナー画像Ｔが導入され、転写ローラ８に印加された転写バイアスにより、トナー画像（未定着画像）Ｔがシート材Ｐ上（記録材上）に転写される。
【００２７】
これらの像形成手段によってトナー画像Ｔが転写されたシート材Ｐは、画像熱定着装置（像加熱装置）５１０の定着フィルム５１３と加圧ローラ（加圧部材）５１４で加熱及び加圧され、トナー画像Ｔがシート材上に定着されたのち、排紙ローラ１２にて排紙される。
【００２８】
なお、画像熱定着装置５１０の概略構成は前述した図７の装置と同じであるので、同一の要素に同符番を付して再度の説明を省略した。
【００２９】
該画像熱定着装置５１０における温度調節は、サーミスタ（加熱温度検知手段）５１５によりセラミックヒータ５１１の温度を検出し、該検出温度に基づいてＣＰＵ１３に内包される目標温度制御手段１３ａがヒータ駆動回路１４を制御し、該検出温度が目標温度設定手段で設定した目標温度（目的温度）になるようにセラミックヒータ５１１への印加電力を調整する。
【００３０】
本実施形態では、画像形成装置内の給気口近傍に設けた室温検知手段（室温サーミスタ）１０６により環境温度（室温）を検知し、この室温情報に基づいて、前記目標温度を任意の値に設定している。
【００３１】
以下にこの動作を図２のフローチャートに沿って説明する。
【００３２】
本装置の電源ＳＷがオンされると（３０１）、定着温度サーミスタ５１５の温度情報Ｔｍと室温サーミスタ１０６の室温情報ＴｒがそれぞれＣＰＵ１３内の目標温度制御手段１３ａに電気信号として常に伝達される。続いて本装置１０１は、プリントスタート命令を待つスタンバイ状態（３０２）となり、ＣＰＵ１３がプリントスタート命令を受け付けた場合（３０３）、室温情報Ｔｒについて所定の温度Ｔｘとの大小関係を判定する室温情報判定制御を実施する（３０４）。
【００３３】
このとき環境温度が高くＴｒ≧Ｔｘであれば（３０５）、目標温度設定手段１３ｂにより目標温度をＴｔ１に設定する（３０６）。
【００３４】
反対に環境温度が低くＴｒ＜Ｔｘであれば（３０７）、目標温度設定手段１３ｂにより目標温度をＴｔ２に設定する（３０８）。
【００３５】
この制御目標温度をＴｔ１＜Ｔｔ２なる値に設定すると、環境温度が高い（すなわち、定着器ユニットに与える熱量が比較的少なくても十分に定着できる）ときには定着ヒータ制御目標温度を下げることで、画像熱定着装置５１０及びシート材Ｐに与える熱量が多すぎた場合に発生するホットオフセット等の問題を防止できる。
【００３６】
また逆に環境温度が低いときには、（すなわち、画像熱定着装置５１０及びシート材Ｐに与える熱量を大きくしないと定着できない）ときには定着ヒータ制御目標温度を上げることで、画像熱定着装置５１０及びシート材Ｐに与える熱量が少なすぎた場合に発生する定着不良等の問題を防止できる。
【００３７】
なお室温情報判定制御における閾値Ｔｘは、Ｔｘ＝５℃〜３５℃に設定した。該値は、ヒータ５１１の出力や室温サーミスタ１０６の設置個所等、装置構成に応じて最も適当な固定値に任意設定が可能である。
【００３８】
〈第２の実施形態〉
本実施形態は、目標温度を複数段階に制御していることを特徴としており、その他の構成は第１の実施形態と同じである。
【００３９】
図３は、本装置の画像形成動作時の各タイミングにおける定着温度Ｔｍを示した図である。
【００４０】
同図に示したように本装置では、立ち上げ開始ｔ０からシート材Ｐが定着ニップ部Ｎに到達する直前のタイミング（立ち上げ期間中）ｔ１までは第１の目標温度Ｔ１で、ｔ１から１枚目のシート材Ｐが定着ニップ部Ｎを抜けるｔ２までのタイミング（像加熱期間中）は通常目標温度（第２の目標温度）Ｔ２で温度制御を行い、シート材Ｐが定着ニップ部Ｎに存在しないｔ２からｔ３までのタイミングでは紙間目標温度Ｔｋで温度制御する。
【００４１】
このように立ち上げ開始（前回転）時の目標温度Ｔ１と通常目標温度Ｔ２の関係をＴ２≧Ｔ１とすることで、通常目標温度Ｔ２を高い温度に設定する場合にも、画像熱定着装置５１０が必要以上に温まり、ホットオフセットを生じさせる等の問題を防止できる。
【００４２】
本実施形態においては、室温サーミスタ１０６の検出情報Ｔｒに基づいて、第１目標温度Ｔ１を変更する。
【００４３】
即ち図２の室温情報判定制御（３０４）において、環境温度が低くＴｒ＜Ｔｘであれば（３０７）、目標温度設定手段１３ｂにより第１の目標温度Ｔ１をＴｔ２に設定する（３０８）ことで、低温環境時の定着不良を防止する。また環境温度が高くＴｒ≧Ｔｘであれば（３０５）、目標温度設定手段１３ｂにより第１の目標温度Ｔ１をＴｔ１に設定する（３０６）ことで、画像熱定着装置５１０が温まり過ぎることによるホットオフセットを防止する。
【００４４】
また、第１目標温度Ｔ１を固定とし、第２目標温度を室温情報Ｔｒに応じて任意の値に設定しても良い。さらに第１の目標温度Ｔ１のみでなく、第２の目標温度も同時に室温情報Ｔｒに応じて任意の値に設定しても良い。
【００４５】
また、前記目標温度設定手段１３ｂが、前記室温情報Ｔｒに基づいて、前記第１目標温度Ｔ１の継続時間を任意の値に設定しても良い。例えば室温情報判定制御（３０４）でＴｒ≧Ｔｘであれば（３０５）、第１の目標温度Ｔ１の継続時間を短くして定着装置５１０へ与える熱量を減らして過度の昇温を防止する（３０６）。反対に室温情報判定制御（３０４）でＴｒ＜Ｔｘであれば（３０７）、第１の目標温度Ｔ１の継続時間を長くして定着装置５１０へ与える熱量を増やし、定着不足を防止する（３０８）。
【００４６】
〈第３の実施形態〉
本実施形態は、室温情報に基づいてヒータへの供給電力を任意の値に設定することを特徴としている。具体的には図４に示したように第１の実施形態と比べ、目標温度設定手段１３ｂに代えて電力設定手段１３ｃを設け、該電力設定手段１３ｃが室温情報に基づいてヒータ１１への供給電力の値を設定し、ヒータ駆動回路（電力制御手段）１４が、この設定された電力をヒータに供給する。
像加熱装置が複数段階の目標温度に制御され、このうち少なくとも一段階の目標温度に達するように前記電力設定手段が、前記電力制御手段の電力を前記室温情報に基づいて設定する。
【００４７】
図５は、本実施形態のプリント動作時のフローチャートである。
【００４８】
本実施形態では、室温情報判定制御（３０４）でＴｒ≧Ｔｘであれば（３０５）定着ヒータ５１１への供給電力をＷｌに設定する（３０６）。反対に室温情報判定制御（３０４）でＴｒ＜Ｔｘであれば（３０７）、定着ヒータ５１１への供給電力をＷ２に設定する（３０８）。
【００４９】
このとき、供給電力をＷｌ＜Ｗ２なる値に設定すると、周囲温度が高い（すなわち、画像熱定着装置５１０に与える電力、すなわち熱量が比較的少なくても十分に定着できる）ときには定着ヒータ供給電力を下げることで、画像熱定着装置５１０及びシート材（印字用紙）Ｐに与える熱量を与えすぎた場合に発生するオーバーシュート（温度上昇時に目標温度を超えて温度が上昇してしまうこと）を防止し、穏やかに温度を上昇させることで熱量を与えすぎた場合に発生する過定着によるホットオフセット等の問題を防止できる。
【００５０】
また逆に周囲温度が低いときには、（すなわち、画像熱定着装置５１０に与える熱量を大きくしないと定着できない）ときには定着ヒータ印加電力を上げることで、より早く所定温度に立ち上げることができ、定着ヒータ５１１への通電開始後一定時間後に給紙を行い、それから画像熱定着装置５１０までの距離と用紙搬送速度によって一意に決まる時間内に画像熱定着装置５１０へ与える熱量をより多くできるので、画像熱定着装置５１０及びシート材Ｐに与える熱量が少なすぎた場合に発生する定着不良等の問題を防止できる。
【００５１】
なお、室温情報に基づく制御は、前述の実施形態と組み合わせて実施しても良く、例えばステップ３０６，３０８において目標温度及び供給電力を任意に設定するようにしても良い。
【００５２】
〈第４の実施形態〉
本実施形態は、室温情報に基づいてシート材の給紙タイミングを任意に設定することを特徴としている。前述した第１の実施形態と比べ、目標温度設定手段１３ｂに代えてＣＰＵ１３に内包される給紙タイミング制御手段が室温情報に基づいて画像熱定着装置５１０への通電を開始してからシート材Ｐを給紙するまでの時間を任意に設定した点が異なり、その他の構成は同じである。
【００５３】
本実施形態では、図２の室温情報判定制御（３０４）において、環境温度が低くＴｒ＜Ｔｘであれば（３０７）、上記給紙するまでの時間を長く設定し、定着装置５１０に与える熱量を増やす（３０８）ことで、低温環境時の定着不良を防止する。また環境温度が高くＴｒ≧Ｔｘであれば（３０５）、給紙するまでの時間を短く設定し、定着装置５１０に与える熱量を減らす（３０６）ことで、画像熱定着装置５１０が温まり過ぎることによるホットオフセットを防止する。
【００５４】
なお、室温情報に基づく制御は、前述の実施形態と組み合わせて実施しても良く、例えばステップ３０６，３０８において給紙するまでの時間だけでなく、目標温度又は／及び供給電力を任意に設定するようにしても良い。
【００５５】
〈その他〉
図１に示した第１の実施形態では、画像熱定着装置５１０に定着温度サーミスタ５１５が１つ具備されている構成を示したが、図６に示したように、定着温度サーミスタ４０２を２つ具備し、どちらか１方を第１の温度検知手段として用いる構成としても良い。なお、この他の構成は同一である。
【００５６】
例えば、ヒータ５１１が通紙可能な記録材サイズに応じて複数の発熱部を持ち、これに応じた複数の定着温度サーミスタ４０２が配置されている場合、プリント時に通紙された記録材サイズによって選択された側の定着温度サーミスタ４０２を加熱温度検知手段として用いれば良い。
【００５７】
上記の実施形態では、テンションレスのフィルム加熱方式を示したが、ヒータや駆動ローラ等の複数の部材間に張設したフィルムを回転駆動する方式でも良い。
【００５８】
また、上記画像熱定着装置の加熱源は、セラミックヒータに限らず、フィルムに設けた導電層に磁束を作用させて誘導電流を発生させ、このジュール熱によりフィルム自体を発熱させる電磁誘導方式のものでも良い。
【００５９】
更に、本発明はフィルム駆動方式に限らず、熱ローラ方式の像加熱装置を具備した画像形成装置にも同様に適用できる。
【００６０】
また、本発明の像加熱装置は、定着装置に限らず、画像の表面状態（艶等）を改質する装置や、仮定着する装置などであっても良い。
【００６１】
【発明の効果】
以上説明したように、本発明によれば、室温情報に基づいて目標温度や供給電力を適切に設定することにより、環境温度に影響されず良好な画像形成を行うことが可能な画像形成装置を提供することができる。
【図面の簡単な説明】
【図１】  本発明の第１の実施形態にかかる画像形成装置の概略構成図
【図２】  第１の実施形態におけるプリント動作時のフローチャート
【図３】  第２の実施形態における第１と第２の目標温度の説明図
【図４】  本発明の第３の実施形態にかかる画像形成装置の概略構成図
【図５】  第３の実施形態におけるプリント動作時のフローチャート
【図６】  その他の実施形態の説明図
【図７】  従来の像加熱装置の概略構成図
【符号の説明】
１          給紙カセット
３          カセット給紙ローラ
４          搬送ローラ
５          シート材搬送路
６          レジストローラ
７          給紙センサ
８          転写ローラ
９          感光ドラム
１１      ヒータ
１２      排紙ローラ
１３      ＣＰＵ
１３ａ  目標温度制御手段
１３ｂ  目標温度設定手段
１３ｃ  電力設定手段
１４      ヒータ駆動回路
１５      光走査装置
１６      現像手段
１０１  本装置
１０６  室温サーミスタ
４０２  定着温度サーミスタ
５１０  画像熱定着装置（像加熱定着手段）
５１１  セラミックヒータ
５１２  ガイド部材
５１３  定着フィルム
５１４  加圧ローラ
５１５  サーミスタ
Ｎ          定着ニップ部
Ｐ          シート材（記録材）
Ｔ          トナー画像